(57)【要約】【課題】本発明は、折り畳み式の傘の様な柄がＬ字に折り曲がっていない傘でも脱落しない傘立てを提供することを課題とする。【解決手段】図１に示すようにＵ字形の本体１と、本体１に３方が囲まれた開口部２と、開口部２に渡された紐３と、開口部２を開閉する開閉部４と、本体１と開閉部４とを連結する固定ピン７と、開閉部４を保持・開放するロック６と、から構成される。【選択図】図１
2016221191.tif 000002
【特許請求の範囲】
【請求項１】
傘立て等に設けられる傘の柄の保持構造であって、
傘の柄を挿入できる幅の開口部を有するコ字形、Ｕ字形またはＶ字形の本体と、
前記開口部を開閉するために、前記本体に回転可能に取り付けられた開閉部と、
前記開口部に幅方向で掛け渡された弾性を有する紐状体と、を備え
前記傘の柄を前記紐状体を押し込むように前記開口部から前記本体内に入れて前記開閉部を閉めると、
前記紐状体の弾性力によって前記傘の柄が、
前記開閉部の裏側に押し付けられるように構成されていている事を特徴とする傘の柄の保持構造。
【請求項２】
請求項１に於いて、
前記開閉部は、左右、前後や上下に移動可能に本体に取り付けている事を特徴とする傘の柄の保持構造。
【請求項３】
請求項１および請求項２に於いて、
前記紐状体は、弾性の無い紐状部と、バネなどの弾性を有する弾性部と、
の複合体である事を特徴とする傘の柄の保持構造。
【発明の詳細な説明】
【技術分野】
【０００１】  本発明は、傘立てに関する。
【背景技術】
【０００２】  従来、不特定多数の人が出入りする建物の出入り口付近に傘立てが設置されている。  これらの傘立ては傘の柄を保持する傘立てが多いが、折り畳み式の傘など柄がＬ字のように折り曲がっていない傘では、傘立てから脱落するという問題があった。
そこで、例えば特許文献１には傘の柄にスライドするフックを設けて傘立てから脱落する事を防止する発明の傘が記載されている。
【先行技術文献】
【特許文献】
【０００３】
【特許文献１】特開２００９−２７３８４５
【発明の概要】
【発明が解決しようとする課題】
【０００４】  しかしながら、特許文献１に記載された技術は傘の柄自体の構造であるため、通常の構造の傘に適用する事ができない。
本発明は、折り畳み式の傘の様な柄がＬ字に折り曲がっていない傘でも脱落しない傘立てを提供することを課題とする。
【課題を解決するための手段】
【０００５】  傘の柄を挿入できる幅の開口部を有するコ字形、Ｕ字形またはＶ字形の本体と、
前記本体に回転可能に取り付けられて、前記開口部を開閉する開閉部と、
前記開口部に幅方向で掛け渡された弾性を有する紐状体と、を備え
前記傘の柄を前記紐状体を押し込むように前記開口部から前記本体内に入れて前記開閉部を閉めると、
前記紐状体の弾性力によって前記傘の柄が、前記開閉部の裏側に押し付けられて保持する保持手段を備える。
【発明の効果】
【０００６】  以上説明したように、本発明によれば上記のような構成としたことから、次の効果を奏する。
第１の請求項によれば、
紐が傘の柄を開閉部に押し付けて保持するため、
柄がＬ字に折り曲がっていない傘でも脱落する事がなく保持できるという効果を奏する。
第２の請求項によれば、
左右に移動する開閉部は、図１の開閉部より狭い間隔で保持構造を配置できる効果を奏する。
第３の請求項によれば、
弾性部のバネなどを交換する事で、弾性力を調節できるという効果を奏する。
従って、どのような傘でも脱落せずに保持できる傘立てとなる。
【図面の簡単な説明】
【０００７】
【図１】本発明を示す斜視図である。
【図２】本発明の構成を示す斜視図である。
【図３】本発明に於いて、開閉部を開いて、傘の柄を挿入する前の状態を示す斜視図である。
【図４】本発明に於いて、傘の柄が開口部に渡された紐を押し込んでいる状態の斜視図である。
【図５】本発明に於いて、傘の柄が開口部の奥まで押し込まれた状態を示す斜視図である。
【図６】本発明が開閉部を閉じて、傘を保持した状態を示す斜視図である。
【図７】本発明を使った傘立ての、傘を保持する部分の一例を示す斜視図である。
【図８】本発明に於いて、本体がＶ字形である実施例を示す斜視図である。
【図９】本発明に於いて、弾性の無い紐状部と、弾性を有する弾性部との、複合体である紐状体の実施例を示す斜視図である。
【図１０】本発明に於いて、開閉部が左右に移動可能に取り付けられた実施例を示す斜視図である。
【発明を実施するための形態】
【０００８】  以下、本発明に係る実施例について図を用いて説明する。
実施例は、図１に示すようにコ字形の本体１と、本体１に３方が囲まれた開口部２と、開口部２に渡された紐３と、開口部２を開閉する開閉部４と、本体１と開閉部４とを連結する固定ピン７と、開閉部４を保持・開放するロック６と、から構成される。
紐３は、本体１の開口部２を塞ぐように幅方向に配置され、紐３はゴムなどの弾性を有する素材で作られている。  紐３は、開閉部４に設けられた切欠け５ａと、本体１に設けられた切欠け５ｂに合わせて配置する事で所定の位置からズレる事を防止している。
開閉部４は、本体１の開口部２を塞ぐように配置され、後述する固定ピン７で本体１と回転可能に固定され、後述するロック６で不必要な時に開かないように保持されている。
ロック６は、ロック用ピン６ａと、開閉部４に設けられるロック用板６ｂから成る。  ロック用板６ｂは、ロック用ピン６ａが貫通するロック用貫通孔６ｃを備える。  ロック用ピン６ａは、ロック用貫通孔６ｃを貫通して開閉部４を保持したり、取り外して開閉部４を開放したりする。
固定ピン７は、本体１と開閉部４のヒンジ部を貫通する様に挿入される。  固定ピンの本体１との接触する面の隙間はキツく、開閉部４と接触する面の隙間は緩い為、開閉部４の開閉がスムーズに行えるが、通常の利用では固定ピン７が抜ける事はない。
本発明が傘の柄８を保持する動作の詳細を説明する。
図３は、ロック用ピン６ａを取り外し開閉部４を開いた状態で、傘の柄８が開口部２に掛け渡された紐３を押し込む直前の状態を示す。
図４は図３の状態から、傘の柄８が紐３を奥に押し込み始めた状態を示し、図５は、更に傘の柄８を奥に押し込んで、開閉部４を閉じる事ができるような位置まで押し込んだ状態を示す。
図６は、開閉部４を閉じロック用ピン６ａを差込んで固定した状態で、傘の柄８が紐４の反発力によって開閉部４の裏面に押されて保持されている状態を示す。
実施例は傘を保持する保持手段を有する。
実施例の保持手段は、
本体１の開口部２を塞いでいる開閉部４を開いて、開口部２に掛け渡された紐３を傘の柄８で押し込み、
傘の柄８を紐３の反発力で開閉部４の裏側に押し付けて保持し、
開閉部４を開いて保持した傘の柄８を解放する事で実現する。
図７は、適切な数の本発明を配置した傘立ての保持部の１例を示す。
図８は、本体をＶ字形にした実施例を示す。
図９は、紐状体が弾性の無い紐状部と、弾性の有る弾性部と、
から成る実施例を示す。
図１０は、開閉部が左右に移動する実施例を示す。
【産業上の利用可能性】
【０００９】本発明は、傘を各別に区画して立てて保管する傘立てに関する。
【符号の説明】
【００１０】１．本体
２．開口部
３．紐状体
３ａ．紐状部・紐状体
３ｂ．弾性部・紐状体
４．開閉部
５．切欠け
５ａ．切欠け・開閉部
５ｂ．切欠け・本体
６．ロック
６ａ．ロック用ピン
６ｂ．ロック用板・開閉部
６ｃ．ロック用貫通孔・開閉部
７．固定ピン
８．傘の柄
【図１】
2016221191.tif 000003
【図２】
2016221191.tif 000004
【図３】
2016221191.tif 000005
【図４】
2016221191.tif 000006
【図５】
2016221191.tif 000007
【図６】
2016221191.tif 000008
【図７】
2016221191.tif 000009
【図８】
2016221191.tif 000010
【図９】
2016221191.tif 000011
【図１０】
2016221191.tif 000012